(57)【特許請求の範囲】
【請求項１】
商品を載置する棚板と、棚板上を幅方向に仕切る少なくとも一つの仕切部材とを備え、仕切部材の前後方向両端を棚板の前端側及び後端側に挿入することにより、仕切部材を棚板に取付けるようにしたショーケースの商品棚において、
前記棚板の前後方向少なくとも一端側に、棚板の外側に向かって下り傾斜をなすように折曲する折曲部を設け、
折曲部には仕切部材の端部が挿入される孔を設けた
ことを特徴とするショーケースの商品棚。
【請求項２】
前記折曲部を、その上側が棚板の外側に向かって下り傾斜をなすように折曲するとともに、その下側が棚板の内側に向かって折曲するように形成し、
折曲部の上側及び下側にそれぞれ仕切部材の端部が挿入される上下一対の孔を設けた
ことを特徴とする請求項１記載のショーケースの商品棚。
【請求項３】
前記棚板の前端側に商品の前方への移動を規制するガード部材を備え、
ガード部材の幅方向両端を棚板の前端側に設けた前記折曲部の幅方向両端側の孔に挿入するように構成した
ことを特徴とする請求項１または２記載のショーケースの商品棚。
【発明の詳細な説明】
【０００１】
【発明の属する技術分野】
本発明は、各種飲食物の小売店または飲食店等の店内に設置されるショーケースの商品棚に関するものである。
【０００２】
【従来の技術】
従来、この種のショーケースとしては、例えば特開２０００−２３７０００公報等に記載されているように、前面、背面及び両側面を透明ガラス板で囲まれた商品収納部と、商品収納部内に互いに上下方向に間隔をおいて設けられた複数の商品棚とを備え、各商品棚に任意の商品を陳列するようにしたものが知られている。
【０００３】
このショーケースでは、商品収納部内を上下に仕切り、その上方を加熱し、下方を冷却することにより、商品収納部内に温蔵室と冷蔵室とを形成するようにしている。この場合、温蔵室内の商品は、商品棚に設けた加熱プレートによって加熱され、冷蔵室内の商品は、室内を循環する冷気によって冷却されるようになっている。
【０００４】
前記商品棚は、商品を載置する棚板と、棚板上を幅方向に仕切る複数の仕切部材とを備え、各仕切部材によって棚板上の商品を幅方向複数列に整列させるようにしている。この場合、仕切部材は両端を下方に屈曲した棒状の部材からなり、その両端を棚板の前後方向両端側に設けた孔に挿入することにより棚板に取付けられるようになっている。また、棚板の下面には前記加熱プレートが取付けられ、加熱プレートは接着剤等によって棚板の下面に貼り付けられている。
【０００５】
【発明が解決しようとする課題】
しかしながら、前記棚板に加熱プレートを取付ける際、棚板に設けられた仕切部材挿入用の孔に加熱プレートが重ならないように位置決めしなければならないため、加熱プレートの取付作業に苦労するとともに、加熱プレートの取付位置にバラツキを生じ易いという問題点があった。また、商品から液状の中味が漏洩した場合など、棚板上の水分が仕切部材挿入用の孔から棚板の下面側に流れ込んだ場合には、加熱プレートに水分が付着するおそれもあった。
【０００６】
本発明は前記問題点に鑑みてなされたものであり、その目的とするところは、例えば棚板の下面に加熱プレートを取り付ける場合、加熱プレートの位置決めを正確に行うことができ、しかも棚板上の水分が加熱プレートに付着することのないショーケースの商品棚を提供することにある。
【０００７】
【課題を解決するための手段】
本発明は前記目的を達成するために、請求項１では、商品を載置する棚板と、棚板上を幅方向に仕切る少なくとも一つの仕切部材とを備え、仕切部材の前後方向両端を棚板の前端側及び後端側に挿入することにより、仕切部材を棚板に取付けるようにしたショーケースの商品棚において、前記棚板の前後方向少なくとも一端側に、棚板の外側に向かって下り傾斜をなすように折曲する折曲部を設け、折曲部には仕切部材の端部が挿入される孔を設けている。
【０００８】
これにより、例えば棚板の下面に加熱プレートを取付ける場合、棚板における折曲部の折曲位置を基準にして加熱プレートの位置決めを行うことができる。また、棚板上の水分が折曲部側に流れ落ちた場合でも、折曲部は棚板の外側に向かって下方に傾斜していることから、折曲部の孔に流れ込んだ水分が棚板側に流れ込むことはない。
【０００９】
また、請求項２では、請求項１記載のショーケースの商品棚において、前記折曲部を、その上側が棚板の外側に向かって下り傾斜をなすように折曲するとともに、その下側が棚板の内側に向かって折曲するように形成し、折曲部の上側及び下側にそれぞれ仕切部材の端部が挿入される上下一対の孔を設けている。
【００１０】
これにより、請求項１の作用に加え、折曲部の上下一対の孔によって仕切部材が直立状態に保持される。
【００１１】
また、請求項３では、請求項１または２記載のショーケースの商品棚において、前記棚板の前端側に商品の前方への移動を規制するガード部材を備え、ガード部材の幅方向両端を棚板の前端側に設けた前記折曲部の幅方向両端側の孔に挿入するように構成している。
【００１２】
これにより、請求項１または２の作用に加え、ガード部材を棚板の孔に挿入することにより、ガード部材が取付けられることから、ガード部材を取付けるための専用の取付部を設ける必要がない。
【００１３】
【発明の実施の形態】
図１乃至図９は本発明の一実施形態を示すもので、図１はショーケースの全体斜視図、図２はその概略正面断面図、図３及び図４は加熱用商品棚の斜視図、図５は棚板及び加熱プレートの側面断面図、図６乃至図９は加熱用商品棚の要部側面断面図である。
【００１４】
このショーケースは、縦長に形成されたショーケース本体１と、ショーケース本体１内に形成された商品収納部２と、ショーケース本体１の下部に形成された機械室３と、商品収納部２内の上方に設けられた複数の加熱用商品棚４と、商品収納部２内の下方に設けられた複数の冷却用商品棚５と、商品収納部２内を任意の加熱用商品棚４の位置で仕切る仕切板６とを備え、各商品棚４，５はそれぞれ前方に向かって下り傾斜をなすように設けられている。
【００１５】
ショーケース本体１は商品収納部２の前面及び背面をそれぞれ開閉する透明ガラス製の扉１ａを有し、商品収納部２の両側面は同じく透明ガラス製の側板１ｂによってそれぞれ覆われている。また、商品収納部２の周囲にはそれぞれ柱状部材をなす計４本の化粧枠１ｃが立設され、各化粧枠１ｃの上端には商品収納部２の上面を覆う天板１ｄが取付けられている。
【００１６】
商品収納部２は底面板２ａによって機械室３側と仕切られており、仕切板６の上方に温蔵室２ｂを形成し、その下方には冷蔵室２ｃを形成している。
【００１７】
機械室３は断熱壁３ａによって囲まれた通風路３ｂを有し、通風路３ｂの一端側及び他端側はそれぞれ商品収納部２内に連通している。通風路３ｂ内には蒸発器３ｃ及び送風機３ｄが設けられ、通風路３ｂの一端側から吸入した商品収納部２の空気を蒸発器３ｃによって冷却し、通風路３ｂの他端側から商品収納部２側へ吐出するようになっている。尚、図示していないが、機械室３内には蒸発器３ｃに接続された冷凍回路の圧縮機、凝縮器等の冷凍機器が収容されている。
【００１８】
加熱用商品棚４は、商品が載置される棚板７と、棚板７の下面側に配置された加熱プレート８とを備え、商品収納部２内の上下方向任意の位置に取付けられるようになっている。
【００１９】
冷却用商品棚５は、商品を載置する棚板からなり、加熱用商品棚４と同様、商品収納部２内の上下方向任意の位置に取付けられるようになっている。
【００２０】
仕切板６は各加熱用商品棚４の下面に対して着脱自在に構成され、その幅方向両端側には商品収納部２の内面との隙間を開閉する断熱性の開閉板６ａが設けられている。
【００２１】
以上のように構成されたショーケースにおいては、図２に示すように下方の加熱用商品棚４の下面に取付けられた仕切板６によって商品収納部２内が上下方向に仕切られ、これにより仕切板６の上方に温蔵室２ｂが形成され、その下方に冷蔵室２ｃが形成される。即ち、温蔵室２ｂ内は各加熱用商品棚４の加熱プレート８によって加熱され、冷蔵室２ｃ内は機械室３の蒸発器３ｃによって冷却される。その際、温蔵室２ｂ内の空気は、図中破線矢印で示すように温蔵室２ｂ内の加熱用商品棚４と商品収納部２の内面との隙間を流通し、冷蔵室２ｃ内の空気は、図中実線矢印で示すように冷蔵室２ｃ内の各商品棚４，５と商品収納部２の内面との隙間を流通する。
【００２２】
また、加熱用商品棚４の棚板７上は複数の仕切部材９によって幅方向に仕切られるとともに、商品棚４の前端側にはガード部材１０が取付けられ、各仕切部材９及びガード部材１０はそれぞれ両端側を下方に折り曲げたコ字形の棒状部材からなる。また、棚板７の前端及び後端には、上側が棚板７の外側に向かって下り傾斜をなすように折曲し、下側が棚板７の内側に向かって下り傾斜をなすように折曲する折曲部７ａが設けられている。この場合、折曲部７ａの上側及び下側にはそれぞれ仕切部材９の端部を挿通する上下一対の孔７ｂ，７ｃが設けられ、各孔７ｂ，７ｃは互いに棚板７の幅方向に間隔をおいて多数設けられている。また、加熱用商品棚４の加熱プレート８は棚板７の平面部分（各折曲部７ａを除く部分）とほぼ同等の大きさに形成され、その下面側には図示しない電源によって発熱する電熱線８ａが取付けられている。
【００２３】
前記加熱用商品棚４に加熱プレート８を取付ける場合には、図５に示すように棚板７の下面に加熱プレート８を接着剤等によって貼り付ける。その際、図５に示すように棚板７の平面部分と折曲部７ａとの間の折曲線７ａ′に加熱プレート８の前端（または後端）を合わせることにより、加熱プレート８を正確に位置決めすることができる。加熱プレート８が取付けられた後は、加熱プレート８の下方が第１の下面板１１によって覆われるとともに、第１の下面板１１の前端側及び後端側には折曲部７ａの下方まで延びる第２の下面板１２が取付けられる。また、加熱用商品棚４の幅方向両側には、商品の側方への転落を防止するガード部材１３がそれぞれ取付けられている。更に、加熱用商品棚４の前端側及び後端側の幅方向両側には、商品収納部２側の取付孔（図示せず）に挿入される棒状の挿入部材１４が取付けられている。
【００２４】
以上のように構成された加熱用商品棚４においては、各仕切部材９の両端部を棚板７の任意の孔７ｂ，７ｃに挿入することにより、各仕切部材９によって棚板７上が幅方向に仕切られ、各仕切部材９間に商品Ａが整列して載置される。その際、各仕切部材９を孔７ｂ，７ｃに挿入すると、仕切部材９の下端が第２の下面板１２に当接するとともに、仕切部材９が上下一対の孔７ｂ，７ｃによって直立状態に保持される。
【００２５】
また、ガード部材１０の両端部を棚板７の前端側の幅方向両端に位置する孔７ｂ，７ｃに挿入することにより、加熱用商品棚４の前端側にガード部材１０が取付けられ、商品棚４の傾斜によって前方に移動する商品Ａはガード部材１０に当接して停止する。その際、ガード部材１０は仕切部材９と同様、棚板７の上下一対の孔７ｂ，７ｃによって直立状態に保持される。
【００２６】
更に、商品から液状の中味が漏洩した場合など、図９の実線矢印に示すように棚板７上の水分が折曲部７ａ側に流れ落ちた場合でも、棚板７の折曲部７ａは棚板７の外側に向かって下方に傾斜していることから、折曲部７ａの上側の孔７ｂに流れ込んだ水分が加熱プレート８側に流れ落ちることはない。
【００２７】
このように、本実施形態によれば、加熱用商品棚４の棚板７の前端側及び後端側に、棚板７の外側に向かって下り傾斜をなすように折曲する折曲部７ａを設け、折曲部７ａに仕切部材９の端部を挿入する孔７ｂ，７ｃを設けたので、加熱用商品棚４に加熱プレート８を取付ける際、折曲部７ａの折曲線７ａ′に合わせて加熱プレート８を位置決めすることができ、加熱プレート８を常に棚板７の正確な位置に取付けることができる。この場合、棚板７の傾斜により、折曲部７ａの上側の孔７ｂに流れ落ちた水分が加熱プレート８側に流れ込むこともないので、加熱プレート８への水分の付着を確実に防止することができる。
【００２８】
また、棚板７の折曲部７ａを、その上側が棚板７の外側に向かって下り傾斜をなすように折曲させるとともに、その下側が棚板７の内側に向かって折曲するように形成し、折曲部７ａの上側及び下側にそれぞれ仕切部材９の端部が挿入される上下一対の孔７ｂ，７ｃを設けたので、各孔７ｂ，７ｃによって仕切部材９を直立状態に保持することができ、仕切部材９の幅方向への傾斜または転倒を確実に防止することができる。
【００２９】
更に、商品棚４の前端側に設けられるガード部材１０を棚板７の幅方向両端側の孔７ｂ，７ｃに挿入することによって取付けるようにしたので、ガード部材１０を取付けるための専用の取付部を設ける必要がなく、構造の簡素化を図ることができる。
【００３０】
尚、前記実施形態では、加熱プレート８を備えた加熱用商品棚４の場合を示したが、本発明は加熱プレートを有しない商品棚に適用してもよい。
【００３１】
また、前記実施形態では、前面、背面及び両側面を透明ガラスで覆うようにしたショーケースを示したが、例えば前面を開口したオープンショーケースなど、他の形態のショーケースにも本発明を適用することができる。
【００３２】
【発明の効果】
以上説明したように、請求項１のショーケースの商品棚によれば、例えば棚板の下面に加熱プレートを取付ける場合、棚板における折曲部の折曲位置を基準にして加熱プレートの位置決めを行うことができるので、加熱プレートを常に棚板の正確な位置に取付けることができる。また、棚板上の水分が折曲部側に流れ落ちた場合でも、棚板の傾斜により、折曲部の孔に流れ落ちた水分が棚板側に流れ込むことがないので、例えば棚板の下面に取付けられた加熱プレートへの水分の付着を確実に防止することができる。
【００３３】
また、請求項２のショーケースの商品棚によれば、請求項１の効果に加え、棚板の仕切部材を直立状態に保持することができるので、仕切部材の幅方向への傾斜または転倒を確実に防止することができる。
【００３４】
また、請求項３のショーケースの商品棚によれば、請求項１または２の効果に加え、ガード部材を取付けるための専用の取付部を設ける必要がないので、構造の簡素化を図ることができる。
【図面の簡単な説明】
【図１】本発明の一実施形態を示すショーケースの全体斜視図
【図２】ショーケースの概略正面断面図
【図３】加熱用商品棚の一部分解斜視図
【図４】加熱用商品棚の斜視図
【図５】棚板及び加熱プレートの側面断面図
【図６】加熱用商品棚の要部側面断面図
【図７】加熱用商品棚の要部側面断面図
【図８】加熱用商品棚の要部側面断面図
【図９】加熱用商品棚の要部側面断面図
【符号の説明】
４…加熱用商品棚、７…棚板、７ａ…折曲部、７ｂ，７ｃ…孔、８…加熱プレート、９…仕切部材、１０…ガード部材、Ａ…商品。
【図１】
0003813889.tif 000002
【図２】
0003813889.tif 000003
【図３】
0003813889.tif 000004
【図４】
0003813889.tif 000005
【図５】
0003813889.tif 000006
【図６】
0003813889.tif 000007
【図７】
0003813889.tif 000008
【図８】
0003813889.tif 000009
【図９】
0003813889.tif 000010